(57)【特許請求の範囲】
【請求項１】
パチンコ機が設置される水平な取付ベースの裏側に球回収樋が設けられたパチンコ機設置島において、パチンコ機背面側の取付ベース上に長方形箱状の回収球タンクを固定し、該回収球タンクの底面は後向傾斜状に形成され、該回収球タンクの後側縁に球集合部が形成され、該球集合部にコイルバネからなる球排出筒を設け、該球排出筒を球回収樋に垂下させるとともに、該回収球タンクの底面上に長方形浅皿状の球受皿を前後方向に移動可能に支持し、該球受皿の後側縁には回収球タンク上に臨む切欠部が開設され、コイルバネを該回収球タンクと球受皿の間に介在させ、該コイルバネの弾性により該球受皿を前方向に付勢することにより、該球受皿の前側縁が該取付ベース上に設置されたパチンコ機背面に圧着し、該球受皿がパチンコ機の球排出口の下部に延出することで、該球排出口から排出される回収球が該球受皿に受けられ、該球受皿に受けられた回収球は前記切欠部から回収球タンク内に落下し、球集合部，球排出筒を通って球回収樋に流落するようにしたことを特徴としたパチンコ球回収装置。
【発明の詳細な説明】
【技術分野】
【０００１】
本発明は、パチンコ機の背面側の取付ベース上に設けられ、パチンコ機から排出されるアウト球等の回収球を受けるパチンコ球回収装置に関するものである。
【背景技術】
【０００２】
一般にパチンコ機はメーカーや機種によって背面の球排出口が異なる位置に設けられているので、パチンコ機を交換する際にはパチンコ球回収装置の位置もパチンコ機に合わせて調整する必要があった。
【０００３】
下記特許文献１に示されたアウト球タンクの取付装置は、上記調整を容易にするための発明であって、取付ベース上にアウト球タンクをパチンコ機の左右方向および前後方向に摺動可能に支持するとともに、左右方向ロック部材および前後方向ロック部材を設け、交換されたパチンコ機の球排出口の位置に合わせてアウト球タンクの設置位置が自由に調整できるようにするものである。
【特許文献１】特許第２７５９１４４号公報
【発明の開示】
【発明が解決しようとする課題】
【０００４】
ところで上記取付装置では、パチンコ機を交換したときに上記ロック部材を外して設置位置を再調整する必要があったが、その調整自体も手間が掛かるものであった。そこで、本発明は調整の必要もなく、パチンコ機から排出されるアウト球等の回収球を確実に受けることのできるパチンコ球回収装置を提供しようとするものである。
【課題を解決するための手段】
【０００５】
そのために本発明のパチンコ球回収装置は、パチンコ機が設置される水平な取付ベースの裏側に球回収樋が設けられたパチンコ機設置島において、パチンコ機背面側の取付ベース上に長方形箱状の回収球タンクを固定し、該回収球タンクの底面は後向傾斜状に形成され、該回収球タンクの後側縁に球集合部が形成され、該球集合部にコイルバネからなる球排出筒を設け、該球排出筒を球回収樋に垂下させるとともに、該回収球タンクの底面上に長方形浅皿状の球受皿を前後方向に移動可能に支持し、該球受皿の後側縁には回収球タンク上に臨む切欠部が開設され、コイルバネを該回収球タンクと球受皿の間に介在させ、該コイルバネの弾性により該球受皿を前方向に付勢することにより、該球受皿の前側縁が該取付ベース上に設置されたパチンコ機背面に圧着し、該球受皿がパチンコ機の球排出口の下部に延出することで、該球排出口から排出される回収球が該球受皿に受けられ、該球受皿に受けられた回収球は前記切欠部から回収球タンク内に落下し、球集合部，球排出筒を通って球回収樋に流落するようにしたことを特徴とする。
【発明の効果】
【０００６】
球排出口の位置がパチンコ機のメーカーや機種によって異なっていても調整の必要なく、アウト球等の回収球を確実に受けることができる。よって、調整の手間が省けパチンコ機の交換作業が簡単になる。
【発明を実施するための最良の形態】
【０００７】
パチンコ機の背面側の取付ベース上に回収球タンクを設け、該回収球タンク上に球受皿を前後方向に移動可能に支持するとともに該球受皿をバネによって前方向に付勢し、該バネの弾性により該球受皿を該パチンコ機背面の球排出口の下部に延出させる。また、球受皿を前後方向に移動可能に支持するために平行リンクまたはスライドレールを設ける。
【実施例１】
【０００８】
図１は遊技場に設けられるパチンコ機設置島の横断面図で、図中、１はパチンコ機２が設置される水平な取付ベース、３は該取付ベースの裏側に設けられた球回収樋である。４は該パチンコ機２の背面側の取付ベース上に取付部材５によって固定された長方形箱状の回収球タンクである。該回収球タンク４は、図２，図３にも示したように、底面６が後向傾斜状に形成され、その後側縁に球集合部７が形成され、該球集合部７にコイルバネからなる球排出筒８を設け、該球排出筒８を球回収樋３に垂下させている。
【０００９】
９は長方形浅皿状の球受皿で、回収球タンク４の両側面に突設された一対の支軸１０，１０に平行リンク１１，１１の下端部を枢着するとともに該平行リンク１１，１１の上端部を該球受皿９の両側面に突設された一対の支軸１２，１２に枢着することにより、該球受皿９を回収球タンク４上にて前後方向に移動可能に支持している。そして、支軸１０，１０に巻きバネ１３の一端を止着しその他端１４を平行リンク１１，１１に止着することにより該平行リンクを矢印で示した方向に付勢し、球受皿９を該巻きバネ１３の弾性によって前方向に付勢している。なお、該球受皿９は底面１５が後向傾斜状に形成され後側縁に回収球タンク４上に臨む切欠部１６を開設してなる。
【００１０】
このためパチンコ機２を取付ベース１上に設置したとき、図３に示したように、バネ１３の弾性により球受皿９が該パチンコ機背面の球排出口１７の下部に延出し、該球受皿９の前側縁がパチンコ機背面に圧着することにより、該球排出口から排出されるアウト球等の回収球を該球受皿９に受けることができる。また、パチンコ機２が交換され球排出口１７の位置が変わることがあってもバネ１３の弾性により球受皿９は常に前方に移動することから球排出口１７の下部まで確実に延出し、回収球を確実に該球受皿９に受けることができる。そして該球受皿９に受けられた回収球は切欠部１６から回収球タンク４内に落下し、さらに球集合部７，球排出筒８を通って球回収樋３に流落する。
【実施例２】
【００１１】
一方、図４に示した本発明の実施例２は、取付ベース１上に固設された回収球タンク４の底面６上で球受皿９をスライドさせることにより該球受皿９を前後方向に移動可能に支持するとともに、コイルバネ１８，１８を該回収球タンク４の後側壁と球受皿９の間に圧縮状態で介在させ、該コイルバネの弾性により該球受皿９を前方向に付勢してなるもので、同図中実施例１と同一符号は同一部分を示す。この実施例２ではコイルバネ１８，１８の弾性により実施例１と同様に球受皿９をパチンコ機背面の球排出口１７の下部に延出させることができることから、該球排出口から排出される回収球を確実に球受皿９に受けることができる。
【００１２】
これらの実施例１，２に示したように、球受皿９はバネの弾性により前方向に付勢したことから、球排出口１７の位置がパチンコ機のメーカーや機種によって前後方向に多少異なっていても再調整を要することなく、パチンコ機を迅速簡単に取付ることができ、交換作業に要する手間を軽減できる。
【００１３】
なお、球受皿を移動可能に支持する手段、および前方向に付勢する手段についてはこれらの実施例１，２に示したものの他、種々の構造を採用し得る。
【００１４】
また、この実施例１，２では示さなかったが、取付ベース１上に例えば取付部材５により回収球タンク４を左右方向或いは上下方向に摺動可能に支持することにより、交換されたパチンコ機の球排出口の位置が左右方向或いは上下方向にずれていた場合でも対処できるようになる。
【図面の簡単な説明】
【００１５】
【図１】本発明の実施例１を示すパチンコ機設置島の横断面図。
【図２】本発明の実施例１を示すパチンコ球回収装置の斜視図。
【図３】本発明の実施例１を示すパチンコ球回収装置の横断面図。
【図４】本発明の実施例２を示すパチンコ球回収装置の斜視図。
【符号の説明】
【００１６】
１      取付ベース
２      パチンコ機
３      球回収樋
４      回収球タンク
６    底面
７    球集合部
８    球排出筒
９      球受皿
１０    支軸
１１    平行リンク
１２    支軸
１３    巻きバネ
１６  切欠部
１７    球排出口
１８    コイルバネ
【図１】
0004324421.tif 000002
【図２】
0004324421.tif 000003
【図３】
0004324421.tif 000004
【図４】
0004324421.tif 000005